(57)【特許請求の範囲】
【請求項１】
衣類を収容する回転ドラムを備える本体ケースと、
本体ケースに設けられた衣類取出口を開閉する扉と、
扉の開閉を検知する開閉検知部と、
回転ドラム内へ供給する空気を加熱する加熱部と、
回転ドラムに対する給排気を行う給排気ファンと、
回転ドラム内または回転ドラムから排気される空気の下流側温度Ｔｅを検知する下流側温度検知部と、
加熱部を作動させるとともに、回転ドラム及び給排気ファンを回転させて、回転ドラム内に加熱された空気を供給する乾燥運転の終了後に、加熱部を作動させずに、回転ドラム及び給排気ファンを回転させて、回転ドラム内に冷風を供給する冷却運転を行う制御部と、を有する衣類乾燥機であって、
制御部は、冷却運転中、開閉検知部で検知される扉の開閉を監視し、
冷却運転中、扉が開閉されると、扉が閉じられた後の下流側温度Ｔｅの下り勾配に基づき、冷却運転の終了を判定する衣類乾燥機。
【請求項２】
衣類を収容する回転ドラムを備える本体ケースと、
本体ケースに設けられた衣類取出口を開閉する扉と、
扉の開閉を検知する開閉検知部と、
回転ドラム内へ供給する空気を加熱する加熱部と、
回転ドラムに対する給排気を行う給排気ファンと、
回転ドラム内へ供給される空気の上流側温度Ｔｓを検知する上流側温度検知部と、
回転ドラム内または回転ドラムから排気される空気の下流側温度Ｔｅを検知する下流側温度検知部と、
加熱部を作動させるとともに、回転ドラム及び給排気ファンを回転させて、回転ドラム内に加熱された空気を供給する乾燥運転の終了後に、加熱部を作動させずに、回転ドラム及び給排気ファンを回転させて、回転ドラム内に冷風を供給する冷却運転を行う制御部と、を有する衣類乾燥機であって、
制御部は、冷却運転中、開閉検知部で検知される扉の開閉を監視し、
冷却運転中、扉が開閉されると、扉が閉じられた後の下流側温度Ｔｅと上流側温度Ｔｓとの温度差（Ｔｅ−Ｔｓ）の下り勾配に基づき、冷却運転の終了を判定する衣類乾燥機。
【請求項３】
請求項１または２に記載の衣類乾燥機において、
制御部は、冷却運転中、扉が開けられると、回転ドラム及び給排気ファンの回転を停止させるとともに、前記冷却運転の終了判定を中断させ、
扉が閉じられると、回転ドラム及び給排気ファンの回転を再開させるとともに、前記冷却運転の終了判定を再開させる衣類乾燥機。
【発明の詳細な説明】
【技術分野】
【０００１】
本発明は、衣類乾燥機に関する。特に、本発明は、衣類を乾燥させる乾燥運転の終了後に、衣類を冷却させる冷却運転が行われる衣類乾燥機に関する。
【背景技術】
【０００２】
従来、回転ドラム内に衣類を収容し、加熱部で加熱された空気を給排気ファンにより回転ドラム内に供給して衣類を乾燥させる乾燥運転を行い、乾燥運転の終了後に、加熱部を作動させずに給排気ファンにより回転ドラム内に冷風を供給して高温になった衣類の温度を低下させる冷却運転を行う衣類乾燥機が知られている。上記冷却運転の終了は、例えば、冷却運転の開始から一定時間が経過するか、または回転ドラムから排気される空気の排気温度が所定の取り出し温度まで低下するかどうかから判定されている（特許文献１）。
【０００３】
ところで、衣類乾燥機では、回転ドラムを回転させながら乾燥運転や冷却運転が行われる。そのため、運転中に扉が開けられた場合を考慮して、扉の開閉を検知する検知センサを設け、検知センサにより扉が開けられたことが検知されると、乾燥運転や冷却運転を一時的に停止させ、検知センサにより扉が閉じられたことが検知されると、運転を再開させるようにしている。従って、使用者が冷却運転中の衣類の冷却状態を確認して、回転ドラム内から全ての衣類を取り出した後、運転スイッチの停止を忘れて扉を閉めると、一定時間が経過するか、排気温度が取り出し温度に低下するまで、不要な冷却運転が継続されてしまう。特に、排気温度に基づいて冷却運転の終了を判断する衣類乾燥機では、外気温が高いと排気温度も高くなるため、冷却運転が長時間、継続されるという問題がある。
【０００４】
冷却運転中、扉が開けられたことが検知センサで検知されると、使用者が全ての衣類を取り出したと判断して、制御回路の制御を乾燥運転の初期状態にリセットして冷却運転を終了させる衣類乾燥機も提案されている（特許文献２）。
【０００５】
しかしながら、使用者が回転ドラム内から一部の衣類のみを取り出し、残りの衣類については引き続き冷却運転を行いたい場合がある。このような場合、扉が開けられると冷却運転が終了する衣類乾燥機では、使用者は改めて冷却運転のみを設定する必要があり、使い勝手が悪い。また、使用者が、扉が開けられると冷却運転が終了することを知らない場合、乾燥運転終了後に衣類に油が残っており、衣類の冷却が進んでいない状態で扉が開けられ、取り出されなかった衣類が高温状態で回転ドラム内に放置されると、衣類の発火の虞がある。
【先行技術文献】
【特許文献】
【０００６】
【特許文献１】特開２０１２−２４５０６号公報
【特許文献２】特開昭６０−１７４１９９号公報
【発明の概要】
【発明が解決しようとする課題】
【０００７】
本発明は上記課題を解決するものであり、本発明の目的は、乾燥運転の終了後に、冷却運転が行われる衣類乾燥機において、冷却運転中に衣類の一部または全部が取り出された場合でも、回転ドラム内の衣類の状態を正確に判定して、冷却運転を適切な時期に終了させることにある。
【課題を解決するための手段】
【０００８】
本発明は、
衣類を収容する回転ドラムを備える本体ケースと、
本体ケースに設けられた衣類取出口を開閉する扉と、
扉の開閉を検知する開閉検知部と、
回転ドラム内へ供給する空気を加熱する加熱部と、
回転ドラムに対する給排気を行う給排気ファンと、
回転ドラム内または回転ドラムから排気される空気の下流側温度Ｔｅを検知する下流側温度検知部と、
加熱部を作動させるとともに、回転ドラム及び給排気ファンを回転させて、回転ドラム内に加熱された空気を供給する乾燥運転の終了後に、加熱部を作動させずに、回転ドラム及び給排気ファンを回転させて、回転ドラム内に冷風を供給する冷却運転を行う制御部と、を有する衣類乾燥機であって、
制御部は、冷却運転中、開閉検知部で検知される扉の開閉を監視し、
冷却運転中、扉が開閉されると、扉が閉じられた後の下流側温度Ｔｅの下り勾配に基づき、冷却運転の終了を判定する衣類乾燥機である。
【０００９】
乾燥運転の終了直後の衣類温度は高温であるが、冷却運転が開始されると、回転ドラム内に冷風が供給されるから、衣類は徐々に冷却されて衣類温度が低下してくる。従って、冷却運転中、回転ドラム内に衣類があれば、回転ドラム内や回転ドラムから排気される空気の下流側温度Ｔｅは緩やかに低下してくるから、下流側温度Ｔｅの温度変化を示す下り勾配は小さい。
これに対して、冷却運転の途中で回転ドラム内から全ての衣類が取り出されると、回転ドラム内に衣類がなくなるため、下流側温度Ｔｅは回転ドラムに供給される冷風の温度と略同等となる。そのため、全ての衣類が取り出された後、扉が閉められて、冷却運転が再開されたときの下流側温度Ｔｅの下り勾配は、衣類が十分に冷却されていない状態で、一部の衣類のみが取り出された場合のそれよりも、大きくなる。従って、扉が開閉された後の下流側温度Ｔｅの下り勾配を利用することにより、回転ドラム内に冷却運転を継続させることが必要な高温の衣類が残っているかどうかを判定することができる。
【００１０】
また、本発明は、
衣類を収容する回転ドラムを備える本体ケースと、
本体ケースに設けられた衣類取出口を開閉する扉と、
扉の開閉を検知する開閉検知部と、
回転ドラム内へ供給する空気を加熱する加熱部と、
回転ドラムに対する給排気を行う給排気ファンと、
回転ドラム内へ供給される空気の上流側温度Ｔｓを検知する上流側温度検知部と、
回転ドラム内または回転ドラムから排気される空気の下流側温度Ｔｅを検知する下流側温度検知部と、
加熱部を作動させるとともに、回転ドラム及び給排気ファンを回転させて、回転ドラム内に加熱された空気を供給する乾燥運転の終了後に、加熱部を作動させずに、回転ドラム及び給排気ファンを回転させて、回転ドラム内に冷風を供給する冷却運転を行う制御部と、を有する衣類乾燥機であって、
制御部は、冷却運転中、開閉検知部で検知される扉の開閉を監視し、
冷却運転中、扉が開閉されると、扉が閉じられた後の下流側温度Ｔｅと上流側温度Ｔｓとの温度差（Ｔｅ−Ｔｓ）の下り勾配に基づき、冷却運転の終了を判定する衣類乾燥機である。
【００１１】
屋内に設置される衣類乾燥機の場合、冷却運転中、加熱部を作動させずに回転ドラム内に供給される冷風は室温の空気であるため、温度変化は少ないが、屋外に設置される衣類乾燥機の場合、外的要因により回転ドラムに供給される空気の温度が変化しやすい。また、回転ドラム内に供給される空気の上流側温度Ｔｓが変わると、それに応じて回転ドラム内の空気や回転ドラムから排気される空気の下流側温度Ｔｅも変わるから、例えば、外気温が低下すると、下流側温度Ｔｅも低下し、下流側温度Ｔｅの下り勾配が大きくなる場合がある。
しかしながら、上流側温度Ｔｓが変わると、それに応じて下流側温度Ｔｅも変わるため、外気温が変化した場合でも、下流側温度Ｔｅと上流側温度Ｔｓとの温度差（Ｔｅ−Ｔｓ）の変化は小さい。従って、回転ドラム内に高温の衣類があれば、下流側温度Ｔｅと上流側温度Ｔｓとの温度差（Ｔｅ−Ｔｓ）は衣類が冷却されていくに従って緩やかに低下し、上記温度差（Ｔｅ−Ｔｓ）の温度変化を示す下り勾配は小さい。
これに対して、冷却運転の途中で、回転ドラム内から全ての衣類が取り出されると、下流側温度Ｔｅは上流側温度Ｔｓと略同等となるから、扉が開閉された後の温度差（Ｔｅ−Ｔｓ）の下り勾配は、回転ドラム内に衣類がある場合のそれより大きくなる。従って、扉が開閉された後の温度差（Ｔｅ−Ｔｓ）の下り勾配を利用することにより、回転ドラム内に冷却運転を継続させることが必要な衣類が残っているかどうかをより正確に判定することができる。
【００１２】
上記衣類乾燥機において、好ましくは、
制御部は、冷却運転中、扉が開けられたことを検知すると、回転ドラム及び給排気ファンの回転を停止するとともに、前記冷却運転の終了判定を中断し、
扉が閉められたことを検知すると、回転ドラム及び給排気ファンの回転を再開するとともに、前記冷却運転の終了判定を再開させる。
【００１３】
冷却運転中に給排気ファンを回転させたままの状態で扉が開けられると、下流側温度検知部で外部の空気の温度が検知される場合があるため、下流側温度Ｔｅの下り勾配や下流側温度Ｔｅと上流側温度Ｔｓとの温度差（Ｔｅ−Ｔｓ）の下り勾配が大きくなり、冷却運転の終了が誤判定される可能性がある。このため、冷却運転中、扉が開けられている間は、回転ドラム及び給排気ファンの回転を停止させるとともに、上記冷却運転の終了判定を中断させることにより、より正確に衣類の冷却状態を判定することができる。
【発明の効果】
【００１４】
以上のように、本発明によれば、冷却運転中の扉の開閉後の下流側温度Ｔｅの下り勾配や、下流側温度Ｔｅと上流側温度Ｔｓとの温度差（Ｔｅ−Ｔｓ）の下り勾配に基づいて、回転ドラム内の衣類の冷却状態が判断されるから、冷却運転中に回転ドラムから全ての衣類が取り出され、使用者が運転の停止を忘れた場合の不要な冷却運転を防止できるだけでなく、冷却運転中に回転ドラムから衣類の一部が取り出された場合の冷却運転の中止も回避できるから、冷却運転を適切な時期に終了させることができる。
【図面の簡単な説明】
【００１５】
【図１】図１は、本発明の実施の形態に係る衣類乾燥機の一例を示す側面視概略縦断面図である。
【図２】図２は、本発明の実施の形態に係る衣類乾燥機の冷却運転における制御動作の一例を示すフローチャートである。
【発明を実施するための形態】
【００１６】
以下、図面を参照しながら、本実施の形態に係る衣類乾燥機について具体的に説明する。
図１に示すように、本体ケース１０内には、衣類Ｍを収容する一端開放円筒状で、内周壁にリフタ（図示せず）が設けられた回転ドラム１２が収容されている。この回転ドラム１２は、開放端が本体ケース１０の正面に面するように略９０度傾倒した横向き姿勢で本体ケース１０内に組み込まれており、その正面開放部の内周面が衣類取出口１０１の内側外周に固設されたリング板１３の外周に遊接支持され、奥壁１２１の中心部が本体ケース１０内奥側の固定壁１０２に設けられた支軸１４に支持されている。リング板１３には、衣類Ｍの湿り具合に応じてＯＮ／ＯＦＦする電極センサ７０が配設されている。この電極センサ７０で検知された検知信号は、後述する制御回路３０に出力される。
【００１７】
本体ケース１０の側面には、本体ケース１０の内外を繋ぐ給気口１０３が開設されており、本体ケース１０上面には、排気出口１７２が開設されている。従って、給排気ファン１８によって回転ドラム１２内へ供給される空気は、給気口１０３から本体ケース１０内へ取り込まれ、回転ドラム１２内を通過し、さらに排気出口１７２から外部に排気される。
【００１８】
回転ドラム１２の奥壁１２１には、複数の吹出口１２３が形成されている。また、回転ドラム１２内の支軸１４の前端部には、外周方向に広がり、奥壁１２１の略全体を回転ドラム１２の内側から覆う略円板状のカバー板１２５が非回転状態で固設されている。カバー板１２５における下方外周寄りには、吹出口１２３から吹出される空気を回転ドラム１２内に供給する供給口１２６が開設されている。また、カバー板１２５の前面には、回転ドラム１２に収容された衣類Ｍの温度を検知するための衣類温センサ２０が設けられており、衣類温センサ２０で検知された検知信号は、制御回路３０に出力される。
【００１９】
回転ドラム１２の胴部の外周には、伝動ベルト１３２が巻装されている。さらに、伝動ベルト１３２は、ドラムモータ１２２に繋がっており、回転ドラム１２は、このドラムモータ１２２の駆動力によって支軸１４を中心に回動するように構成されている。
【００２０】
回転ドラム１２の奥壁１２１の裏側には、本体ケース１０内の空気や後述するガスバーナ１６１から放出された燃焼ガスを上記吹出口１２３へ導くための温風ダクト１５が配設されている。従って、給排気ファン１８を回転させると、本体ケース１０の給気口１０３と回転ドラム１２の吹出口１２３との間を連通する給気通路が形成される。
【００２１】
温風ダクト１５は、回転ドラム１２の奥壁１２１の裏側から回転ドラム１２下方の本体ケース１０内下部の空間まで延設されており、その上流端である下端開放部の下方には、温風ダクト１５を通じて回転ドラム１２内へ導かれる空気を加熱する加熱部であるバーナユニット１６が配設されている。
【００２２】
バーナユニット１６は、加熱源のガスバーナ１６１や弁装置１６２等で構成されており、弁装置１６２に組み込まれた図示しない比例弁を開放すると、バーナユニット１６周辺の空気とともにガスバーナ１６１内へ所定量のガスが送り込まれ、そのガスバーナ１６１の炎孔上方で着火する。そして、送り込まれたガスは燃焼ガスとして温風ダクト１５内へ放出され、その温風ダクト１５の下端開放部へ導かれた本体ケース１０内の空気を加熱しつつ、その加熱された空気とともに温風ダクト１５の下流端から吹出口１２３、及び供給口１２６を通じて回転ドラム１２内へ供給される。
【００２３】
ガスバーナ１６１近傍には、乾燥運転中の燃焼ガスの温度や、冷却運転中、給排気ファン１８によって本体ケース１０外から本体ケース１０内に取り込まれ、温風ダクト１５を通って回転ドラム１２内へ供給される空気の温度を検知する第１温度センサ（上流側温度検知部）５０が配設されている。この第１温度センサ５０で検知された検知信号は、制御回路３０に出力される。
【００２４】
扉１１の内側には、扉１１が閉じられた状態において衣類取出口１０１へ繋がる排出口１１１と、後述する排気入口１７１へ繋がる連結口１１２とが設けられており、扉１１の内部には、これら排出口１１１及び連結口１１２相互を繋ぐ連絡ダクト１１０が形成されている。
【００２５】
また、扉１１の開閉を検知する開閉検知部１１５として、扉１１には、磁石１１５ａが設けられており、本体ケース１０には、扉１１が閉じられた状態で磁石１１５ａと対向する位置に磁気センサ１１５ｂが設けられている。これにより、扉１１が閉じられて、磁石１１５ａが磁気センサ１１５ｂと近接すると、磁気センサ１１５ｂからＯＮ信号が制御回路３０に出力され、扉１１が開けられて、磁石１１５ａが磁気センサ１１５ｂから離れると、磁気センサ１１５ｂからＯＦＦ信号が制御回路３０に出力される。
【００２６】
回転ドラム１２の上方で且つ本体ケース１０内上部の空間には、連絡ダクト１１０から導かれた回転ドラム１２内の空気を本体ケース１０外へ導くための排気ダクト１７が配設されている。従って、給排気ファン１８を回転させると、これら連絡ダクト１１０及び排気ダクト１７により、排出口１１１と排気出口１７２との間を連通する排気通路が形成される。
【００２７】
排気出口１７２近傍には、回転ドラム１２の排出口１１１から排気され、排気通路を通って本体ケース１０外に排気される空気の温度を検知する第２温度センサ（下流側温度検知部）６０が配設されている。この第２温度センサ６０で検知された検知信号は、制御回路３０に出力される。
【００２８】
排気ダクト１７の上流側の排気入口１７１は、本体ケース１０の正面側で且つ衣類取出口１０１の上方に開設されており、下流側の排気出口１７２は、本体ケース１０上面に開設されている。また、排気ダクト１７の中間部には、本体ケース１０の外部の空気やガスバーナ１６１によって加熱された空気を回転ドラム１２内へ送り込むための給排気ファン１８が組み込まれている。
【００２９】
給排気ファン１８には、ファン駆動部であるファンモータ１８１が接続されており、給排気ファン１８は、このファンモータ１８１の駆動力によって支軸１８２を中心に自在に回動するように構成されている。
【００３０】
従って、扉１１が閉じられた状態でファンモータ１８１を作動させて、給排気ファン１８を回転させると、本体ケース１０外から給気口１０３を介して本体ケース１０内に空気が吸い込まれ、給気通路の一部を構成する温風ダクト１５を通って、吹出口１２３、及び供給口１２６を介して回転ドラム１２内に供給される。そして、回転ドラム１２内に供給された空気は排出口１１１に向かって流れ、排出口１１１から排気通路である連絡ダクト１１０及び排気ダクト１７を通って、排気出口１７２から本体ケース１０外へ排気される。
【００３１】
排出口１１１の連絡ダクト１１０側には、取り外し可能な網目状のフィルタ１９が装着されており、回転ドラム１２内の空気が排出口１１１及び連絡ダクト１１０を介して排気ダクト１７内へ送り出される際、このフィルタ１９によって回転ドラム１２内に浮遊するごみや糸くずが除去される。
【００３２】
扉１１の前面下方には、電源スイッチ、乾燥運転スイッチ、冷却運転スイッチや、停止スイッチ等の各種操作スイッチなどが配置された操作部４０が配設されている。
【００３３】
本体ケース１０内には、回転ドラム１２の回転動作やバーナユニット１６による空気の加熱動作、給排気ファン１８の回転動作等、衣類乾燥機全体の運転を制御する制御部として制御回路３０が組み込まれており、上述したドラムモータ１２２、弁装置１６２、ファンモータ１８１、衣類温センサ２０、第１温度センサ５０、第２温度センサ６０、電極センサ７０、磁気センサ１１５ｂ、各種操作スイッチ等は、制御回路３０に電気配線を通じて接続されている。
【００３４】
図示しないが、制御回路３０は、ドラムモータ１２２の作動及び停止を行うドラムモータ作動回路、ファンモータ１８１の作動及び停止を行うファンモータ作動回路、バーナユニット１６の作動及び停止を行うことによりガスバーナ１６１の点火及び消火を行う点消火回路、比例弁の開度を調整して、ガスバーナ１６１の燃焼速数を変更する火力調整回路、磁気センサ１１５ｂからの出力に基づいて扉１１の開閉状態を判定する開閉検知回路、衣類温センサ２０や電極センサ７０からの出力に基づいて衣類Ｍの乾燥運転の継続及び終了を判定する乾燥運転判定回路、第１温度センサ５０及び第２温度センサ６０からそれぞれ出力される上流側及び下流側温度をモニタする監視回路、上流側及び下流側温度に基づいて冷却運転の継続及び終了を判定する冷却運転判定回路等によって構成されており、これら各回路によって衣類Ｍの乾燥運転、冷却運転等の各種運転が実行される。また、制御回路３０は、乾燥運転や冷却運転を実行するための運転プログラムや、乾燥運転や冷却運転を制御する各種設定値が格納されたメモリを備えている。
【００３５】
本実施の形態の衣類乾燥機では、衣類温センサ２０及び電極センサ７０から出力される検知信号に基づき、乾燥運転の終了が判定されると、回転ドラム１２及び給排気ファン１８の回転を継続させた状態で、バーナユニット１６の作動を停止させて、冷却運転に移行するように設定されている。
【００３６】
また、冷却運転は、冷却運転の開始時に行われる初期冷却運転と、初期冷却運転後に行われる間欠冷却運転の２段階から構成されている。具体的には、冷却運転の開始から所定の初期冷却運転時間（例えば、３分間）は、回転ドラム１２の回転、及び所定の回転数（例えば、２０００ｒｐｍ）での給排気ファン１８の回転を継続させる初期冷却運転が実行される。次いで、初期冷却運転時間が経過すると、所定の間欠停止時間（例えば、３．５分間）、回転ドラム１２を停止させた状態で、給排気ファン１８を所定の回転数（例えば、１１００ｒｐｍ）で回転させ、その後、所定の間欠回転時間（例えば、３０秒間）、回転ドラム１２を回転させた状態で、給排気ファン１８を所定の回転数（例えば、２０００ｒｐｍ）で回転させる間欠動作が所定の最大回数（例えば、８回）実行されるように設定されている。なお、冷却運転中、扉１１が開けられると、回転ドラム１２及び給排気ファン１８の回転がいずれも停止されて、冷却運転の終了判定が中断され、扉１１が閉じられると、回転ドラム１２及び給排気ファン１８の回転が再開されて、冷却運転の終了判定が再開されるように設定されている。
【００３７】
次に、本実施の形態の冷却運転における制御動作を、図２のフローチャートに従って説明する。乾燥運転が終了して、初期冷却運転が開始すると（ステップＳＴ１）、回転ドラム１２及び給排気ファン１８の回転を継続させた状態で、第１温度センサ５０で検知される上流側温度Ｔｓと、第２温度センサ６０で検知される下流側温度Ｔｅが取得され、下流側温度Ｔｅが所定の取り出し温度Ｔｐ（例えば、３６℃）以下であり、且つ下流側温度Ｔｅと上流側温度Ｔｓとの温度差（Ｔｅ−Ｔｓ）が所定の取り出し温度差Ｔｄ（例えば、１２℃）以下になっているかの冷却運転の終了判定が行われる（ステップＳＴ２）。
【００３８】
すなわち、冷却運転中は、バーナユニット１６を作動させないから、衣類乾燥機の外部の空気が回転ドラム１２内に供給され衣類Ｍが外部の空気で冷却される。従って、下流側温度Ｔｅが所定の取り出し温度Ｔｐ以下まで低下すれば、衣類Ｍの冷却が進んでいると考えられる。
しかしながら、下流側温度Ｔｅが取り出し温度Ｔｐ以下であっても、外部の温度が低いと、衣類Ｍの冷却が進んでおらず、衣類Ｍが高温の状態の場合がある。回転ドラム１２内に高温の衣類Ｍがあれば、回転ドラム１２を通過する間に冷風が暖められて、回転ドラム１２から排気される空気の下流側温度Ｔｅと上流側温度Ｔｓとの温度差（Ｔｅ−Ｔｓ）は大きくなる。そのため、下流側温度Ｔｅと上流側温度Ｔｓとの温度差（Ｔｅ−Ｔｓ）が所定の取り出し温度差Ｔｄ以下であれば、衣類Ｍが十分に冷却されたと判断できる。
従って、所定の初期冷却運転時間内に、下流側温度Ｔｅが所定の取り出し温度Ｔｐ以下に低下し、且つ上記温度差（Ｔｅ−Ｔｓ）が所定の取り出し温度差Ｔｄ以下まで低下すれば、衣類Ｍは十分に冷却されており、取り出し可能と判定できる。
【００３９】
下流側温度Ｔｅが取り出し温度Ｔｐより高いか、または下流側温度Ｔｅと上流側温度Ｔｓと温度差（Ｔｅ−Ｔｓ）が取り出し温度差Ｔｄより高い場合、衣類Ｍの温度が高いと考えられるから、冷却運転が継続され、扉１１の開閉の監視が継続される（ステップＳＴ３）。
【００４０】
冷却運転中、扉１１が開けられたことが検知されると、回転ドラム１２及び給排気ファン１８の回転を停止させるとともに、冷却運転の終了判定を中断させる（ステップＳＴ４）。すなわち、扉１１が開かれると、排気ダクト１７に回転ドラム１２内の空気が排気されないから、給排気ファン１８の回転を継続させると、第２温度センサ６０で外部の空気の温度が下流側温度Ｔｅとして検知される。このため、扉１１が開けられたことが検知された場合、冷却運転の終了判定を中断することにより、誤判定を防止できる。また、回転ドラム１２の停止によって衣類Ｍが撹拌されず、また給排気ファン１８の停止によって回転ドラム１２内に冷風も供給されないから、扉１１が開けられている間に衣類Ｍが冷却され難いだけでなく、第２温度センサ６０が配設されている排気ダクト１７内の雰囲気温度の低下も小さい。これにより、扉１１が閉められて冷却運転が再開されたとき、回転ドラム１２内に衣類Ｍがない場合の下流側温度Ｔｅの温度変化を大きくすることができる。
【００４１】
次いで、扉１１が閉められたことが検知されると（ステップＳＴ５）、回転ドラム１２及び給排気ファン１８の回転を再開させるとともに、冷却運転の終了判定を再開させる（ステップＳＴ６）。そして、扉１１が閉じられた後の下流側温度Ｔｅと上流側温度Ｔｓとの温度差（Ｔｅ−Ｔｓ）の所定時間ｔｍ（例えば、２分間）内の温度変化△（Ｔｅ−Ｔｓ）／ｔｍ（下り勾配）が、所定の取り出し勾配Ｇ（例えば、４℃／２分間）以上であるかどうかが判定される（ステップＳＴ７〜ＳＴ８）。
【００４２】
すなわち、冷却運転中に扉１１の開閉が検知されると、回転ドラム１２内から衣類Ｍが取り出された可能性があるが、回転ドラム１２内の全ての衣類Ｍが取り出された場合、扉１１が閉められた後の回転ドラム１２や排気ダクト１７内の雰囲気温度が高くても、短時間内に上流側温度Ｔｓと下流側温度Ｔｅは略同一となるから、下流側温度Ｔｅの温度変化が大きくなる。また、既述したように、外部の温度が変化し、上流側温度Ｔｓが変化すれば、それに応じて下流側温度Ｔｅも変化するが、回転ドラム１２内の衣類Ｍの温度が同等であれば、下流側温度Ｔｅと上流側温度Ｔｓとの温度差（Ｔｅ−Ｔｓ）は略一定となり、温度変化も小さい。しかしながら、回転ドラム１２内から全ての衣類Ｍが取り出された後、冷却運転が再開されると、上流側温度Ｔｓと下流側温度Ｔｅとが略同一になるから、回転ドラム１２内に高温の衣類Ｍが残されている場合よりも、上記温度差（Ｔｅ−Ｔｓ）の温度変化が大きくなる。
【００４３】
一方、一部の衣類Ｍのみが取り出され、回転ドラム１２内に高温の衣類Ｍが残っている場合、冷却運転を再開させると、下流側温度Ｔｅは、扉１１が開けられる前と同様に、回転ドラム１２内への冷風の供給によって徐々に低下してくるから、下流側温度Ｔｅの温度変化は小さい。また、外部の温度が変化しても、回転ドラム１２内に衣類Ｍが残っていれば、上記温度差（Ｔｅ−Ｔｓ）の温度変化は小さい。従って、扉１１が開閉された後の所定時間ｔｍ内の温度差（Ｔｅ−Ｔｓ）の温度変化（下り勾配）が所定の取り出し勾配Ｇ以上であれば、全ての衣類Ｍが取り出されたと判定して、冷却運転を終了させ、温度変化が取り出し勾配Ｇ未満であれば、初期冷却運転時間ｔｓ（例えば、３分間）が経過するまで、冷却運転を継続させる（ステップＳＴ９）。
【００４４】
初期冷却運転中に衣類Ｍが十分に冷却されず、また回転ドラム１２内に衣類Ｍが残っている場合、上記した間欠冷却運転に移行する（ステップＳＴ１０）。そして、上記と同様に、上流側及び下流側温度Ｔｓ，Ｔｅのモニタが継続され、下流側温度Ｔｅ、下流側温度Ｔｅと上流側温度Ｔｓとの温度差（Ｔｅ−Ｔｓ）、扉１１の開閉後の所定時間ｔｍ内の温度差（Ｔｅ−Ｔｓ）の温度変化△（Ｔｅ−Ｔｓ）／ｔｍ（下り勾配）に基づいて、所定の間欠動作の最大回数Ｎｍａｘ（例えば、８回）まで、冷却運転の終了判定が実行される（ステップＳＴ１１〜ＳＴ１８）。
【００４５】
以上詳細に説明したように、上記衣類乾燥機では、乾燥運転の終了後に行われる冷却運転中、上流側及び下流側温度Ｔｓ，Ｔｅに基づいて冷却運転の終了が判定されるだけでなく、冷却運転中に扉１１の開閉が検知されると、扉１１が閉じられた後の下流側温度Ｔｅと上流側温度Ｔｓとの温度差（Ｔｅ−Ｔｓ）の所定時間内の温度変化（下り勾配）にも基づいて、冷却運転の終了が判定されるから、冷却運転中に扉１１が開けられて、回転ドラム１２内の全ての衣類Ｍが取り出されたかどうかを判定できる。これにより、使用者が回転ドラム１２内の全ての衣類Ｍを取り出し、運転スイッチのオフ操作を忘れた場合でも、冷却運転を終了させることができるから、不要な回転ドラム１２や給排気ファン１８の回転を停止させることができる。
【００４６】
また、冷却運転中に使用者が扉１１を開けても、冷却運転は終了されないから、使用者が回転ドラム１２内の衣類Ｍの一部のみを取り出した場合に、使用者が扉１１を閉めれば、冷却運転を再開させることができる。これにより、使用者は、再度、冷却運転の設定を行う必要がなく、また回転ドラム１２内に衣類Ｍが放置されないから、衣類Ｍの発火の虞もない。
【００４７】
（その他の実施の形態）
（１）上記実施の形態では、下流側温度Ｔｅと上流側温度Ｔｓとの温度差（Ｔｅ−Ｔｓ）に基づいて冷却運転の終了が判定されているが、室内に設置される衣類乾燥機の場合、上流側温度Ｔｓの変化は少ないから、上流側温度Ｔｓの変化に基づく下流側温度Ｔｅの変化も少ない。従って、下流側温度Ｔｅの所定時間内の温度変化（下り勾配）に基づいて冷却運転の終了が判定されてもよい。
【００４８】
（２）上記実施の形態では、下流側温度検知部として、排気出口近傍に設けられた第２温度センサが用いられているが、衣類との接触によって回転ドラムに供給された空気の温度は上昇するため、回転ドラム内に下流側温度検知部が設けられてもよい。
【００４９】
（３）上記実施の形態では、回転ドラム内へ供給される空気の上流側温度Ｔｓとして、本体ケース内のガスバーナよりも下流側に設けられた上流側温度検知部で検知される温度が用いられているが、屋内に設置される衣類乾燥機の場合、上流側温度Ｔｓとして室温が用いられてもよい。
【００５０】
（４）上記実施の形態では、連続して回転ドラムを回転させる初期冷却運転と間欠的に回転ドラムを回転させる間欠冷却運転との２段階からなる冷却運転が行われているが、扉が閉められていれば冷却運転の終了まで回転ドラムを連続して回転させてもよい。
【００５１】
（５）上記実施の形態では、扉が閉められた後の下流側温度Ｔｅと上流側温度Ｔｓとの温度差（Ｔｅ−Ｔｓ）の下り勾配のみに基づいて冷却運転の終了が判定されているが、既述したように、衣類の取り出しによって下り勾配が異なってくるため、扉が閉められた後の温度差（Ｔｅ−Ｔｓ）の下り勾配と扉が開けられる前の温度差（Ｔｅ−Ｔｓ）の下り勾配との対比や、扉が閉められた後の下流側温度Ｔｅの下り勾配と扉が開けられる前の下流側温度Ｔｅの下り勾配との対比に基づいて冷却運転の終了が判定されてもよい。
【００５２】
（６）上記実施の形態では、乾燥運転終了後、自動的に冷却運転に移行する制御が行われているが、乾燥運転終了後、使用者が所定の操作をして冷却運転を行うことを選択した場合に、上記冷却運転に移行する制御が行われてもよい。
【符号の説明】
【００５３】
１１          扉
１２          回転ドラム
１６          バーナユニット（加熱部）
１８          給排気ファン
３０          制御回路（制御部）
５０          第１温度センサ（上流側温度検知部）
６０          第２温度センサ（下流側温度検知部）
１１５        開閉検知部
【図１】
0006403636.tif 000002
【図２】
0006403636.tif 000003